(57)【要約】【課題】簡便な構成で、ガラス面に対し繰り返し容易に着脱可能とした複層ガラス内蔵ブラインドの操作装置を提供する。【解決手段】複層ガラスサッシ内にブラインドを設け、複層ガラスサッシのガラス板１ａ上に操作装置１１を取着し、操作装置１１の操作により、ガラス板１ａを介して伝達される磁力に基づいて、ブラインドの駆動軸５を回転させる複層ガラス内蔵ブラインドにおいて、操作装置１１とガラス板１ａには、該操作装置１１を繰り返し着脱可能とする固定手段１３ａ，１３ｂを設けた。【選択図】        図４
2005023604.tif 000002
【特許請求の範囲】
【請求項１】
複層ガラスサッシ内にブラインドを設け、前記複層ガラスサッシのガラス板上に操作装置を取着し、前記操作装置の操作により、前記ガラス板を介して伝達される磁力に基づいて、前記ブラインドの駆動軸を回転させる複層ガラス内蔵ブラインドにおいて、
前記操作装置と前記ガラス板には、該操作装置を繰り返し着脱可能とする固定手段を設けたことを特徴とする複層ガラス内蔵ブラインドの操作装置。
【請求項２】
前記固定手段は、前記ガラス板と前記操作装置の背面に取着した面ファスナーで構成したことを特徴とする請求項１記載の複層ガラス内蔵ブラインドの操作装置。
【請求項３】
前記固定手段は、
前記ガラス板の上端から吊下支持された取付板に設けた係止片と、
前記操作装置に設けた掛止片とで構成とし、
前記係止片と掛止片は、前記操作装置を横方向に係合位置までスライドさせることにより係合可能としたことを特徴とする請求項１記載の複層ガラス内蔵ブラインドの操作装置。
【請求項４】
前記取付板には、前記操作装置を前記係合位置までスライドさせたとき、前記掛止片に係合して前記操作装置の取外し方向へのスライドを阻止する固定片を設けたことを特徴とする請求項３記載の複層ガラス内蔵ブラインドの操作装置。
【請求項５】
前記固定手段は、
前記ガラス板の上端から吊下支持された取付板に設けたフックと、
前記操作装置に設けられて、前記フックに掛止め可能とした掛止孔と
で構成したことを特徴とする請求項２記載の複層ガラス内蔵ブラインドの操作装置。
【請求項６】
前記固定手段は、
前記ガラス板の上端から吊下支持された取付板に設けた係止片と、
前記操作装置に設けられて、前記係止片に掛止め可能とした掛止片とで構成し、
前記操作装置を掛止めしたとき、前記操作装置の横方向の移動を阻止する固定片を設けたことを特徴とする請求項２記載の複層ガラス内蔵ブラインドの操作装置。
【発明の詳細な説明】
【０００１】
【発明の属する技術分野】
この発明は、二重ガラスサッシに内蔵される横型ブラインドの操作装置に関するものである。
【０００２】
【従来の技術】
横型ブラインドを内蔵した二重ガラスサッシは、二重ガラスサッシの防音及び断熱機能と、横型ブラインドの遮光機能とを併せ持つものである。このような二重ガラスサッシでは、ガラス開口率を向上させるために、周囲の枠体を小型化することが要請されている。
【０００３】
そこで、ブラインドの操作装置をガラス外面上に設け、その操作装置の回転を磁石によりサッシ内の被駆動部に伝達して、スラットの角度調節を行う構成が提案されている。このような構成を採用することにより、操作装置を枠体内に収容する必要がなくなり、枠体を小型化してガラス開口率を向上させることが可能となる。
【０００４】
このような二重ガラスサッシでは、操作装置をガラス外面に取着する構成であるので、窓枠上での引き違い操作時には、操作装置の取り付け寸法を除いた部分でのみ引き違い操作が可能となる。従って、サッシ全開時の開口寸法が小さくなってしまう。また、サッシの重なりしろ部分の窓枠の清掃が困難である。
【０００５】
そこで、特許文献１では操作装置を両面テープでガラス外面に固着することにより、操作装置をガラス外面から取外し可能とした構成が開示されている。
また、特許文献２には操作装置をガラス外面に沿って上下方向に位置調節可能とした構成が開示されている。
【０００６】
【特許文献１】
特許第３２４３５３４号
【特許文献２】
特開平１１−１９３６７７
【０００７】
【発明が解決しようとする課題】
ところが、特許文献１に記載された構成では、操作装置を両面テープでガラス面に固着しているため、操作装置を繰り返し着脱すると、両面テープの粘着力が低下して固着不能となる。
【０００８】
また、特許文献２に記載された操作装置では、被駆動装置とスラットとの干渉を防止するために、被駆動装置の取付位置において、スラットの長さを調整する必要があり、その作業が煩雑である。
【０００９】
この発明の目的は、簡便な構成で、ガラス面に対し繰り返し容易に着脱可能とした複層ガラス内蔵ブラインドの操作装置を提供することにある。
【００１０】
【課題を解決するための手段】
請求項１では、複層ガラスサッシ内にブラインドを設け、前記複層ガラスサッシのガラス板上に操作装置を取着し、前記操作装置の操作により、前記ガラス板を介して伝達される磁力に基づいて、前記ブラインドの駆動軸を回転させる複層ガラス内蔵ブラインドにおいて、前記操作装置と前記ガラス板には、該操作装置を繰り返し着脱可能とする固定手段を設けた。
【００１１】
請求項２では、前記固定手段は、前記ガラス板と前記操作装置の背面に取着した面ファスナーで構成した。
請求項３では、前記固定手段は、前記ガラス板の上端から吊下支持された取付板に設けた係止片と、前記操作装置に設けた掛止片とで構成とし、前記係止片と掛止片は、前記操作装置を横方向に係合位置までスライドさせることにより係合可能とした。
【００１２】
請求項４では、前記取付板には、前記操作装置を前記係合位置までスライドさせたとき、前記掛止片に係合して前記操作装置の取外し方向へのスライドを阻止する固定片を設けた。
【００１３】
請求項５では、前記固定手段は、前記ガラス板の上端から吊下支持された取付板に設けたフックと、前記操作装置に設けられて、前記フックに掛止め可能とした掛止孔とで構成した。
【００１４】
請求項６では、前記固定手段は、前記ガラス板の上端から吊下支持された取付板に設けた係止片と、前記操作装置に設けられて、前記係止片に掛止め可能とした掛止片とで構成し、前記操作装置を掛止めしたとき、前記操作装置の横方向の移動を阻止する固定片を設けた。
【００１５】
【発明の実施の形態】
（第一の実施の形態）
以下、この発明を具体化した第一の実施の形態を図面に従って説明する。図１及び図２に示す二重ガラスサッシは、窓枠上で引き違い操作する複数枚のサッシのうちの１枚を示すものであり、２枚のガラス板１ａ，１ｂの周囲が、枠体２により所定間隔を隔てて支持され、そのガラス板１ａ，１ｂ間に横型ブラインド３が収容されている。
【００１６】
前記横型ブラインド３は、ヘッドボックス４内に駆動軸５が回転可能に支持され、その駆動軸５から吊下支持される複数本のラダーコード６に多数段のスラット７が支持されている。
【００１７】
また、前記ラダーコード６の近傍において、各スラット７に昇降コード８が貫通され、その昇降コード８の下端にボトムレール９が吊下支持されるとともに、昇降コード８の上端部は、前記駆動軸５と一体に回転する巻取軸１０に巻着されている。
【００１８】
このような構成により、駆動軸５の回転にともなって、スラット７が角度調節され、ボトムレール９の昇降に基づいてスラット７が昇降される。
図５及び図６に示すように、二重ガラスサッシの室内側のガラス板１ａの外面上隅部には、操作装置１１が取着される。前記操作装置１１は、ケース１２の背面が固定手段としての面ファスナー１３ａ，１３ｂを介してガラス面に着脱可能に固着されている。
【００１９】
すなわち、図２及び図３に示すように、ガラス板１ａの外面に面ファスナー１３ａが貼着され、ケース１２の背面に面ファスナー１３ｂが貼着される。そして、図４に示すように、面ファスナー１３ａ，１３ｂを接合することにより、ケース１２がガラス面上に固着されている。
【００２０】
前記ケース１２内には、ガラス面に沿って水平方向に延びる回転軸を中心としてプーリー１４が回転可能に支持され、そのプーリー１４に掛装された操作コード１５がケース１２から下方へ垂下されている。前記プーリー１４の外周部には、４個の駆動側磁石１６が取着されている。
【００２１】
従って、操作コード１５の操作により駆動側磁石１６がプーリー１４の回転軸を中心として回動するようになっている。
前記駆動軸５の一端部には、前記駆動側磁石１６に対向する位置において、４個の受動側磁石１７が周方向に取着されている。従って、プーリー１４が回転されると、駆動側磁石１６の磁力により受動側磁石１７に回転力が伝達され、駆動軸５が回転されるようになっている。
【００２２】
上記のように構成された二重ガラスサッシでは、操作コード１５の操作によりプーリー１４が回転されると、駆動軸５が回転されてスラット７の昇降操作あるいは角度調節操作が可能である。
【００２３】
プーリー１４の回転は、駆動側磁石１６と受動側磁石１７との磁力により伝達されるので、プーリー１４と駆動軸５との間に伝達軸は必要ない。従って、二重ガラスサッシの気密性を向上させて、防音断熱効果を向上させることが可能となる。
【００２４】
上記のように構成された二重ガラスサッシでは、次に示す作用効果を得ることができる。
（１）操作装置１１は、面ファスナー１３ａ，１３ｂによりガラス面に容易に着脱することができる。
（２）操作装置１１と、駆動軸５との間の駆動力伝達手段は磁力であるので、操作装置１１の着脱操作が駆動力伝達手段により支障を来たすことはない。
（３）操作装置１１を取り外すことにより、二重ガラスサッシを完全に引き違い操作可能となり、重なりしろは生じない。従って、二重ガラスサッシを引き違い可能に支持する窓枠を容易に清掃することができる。
（４）操作装置１１を取り外すことにより、二重ガラスサッシの重なりしろを無くすことができる。従って、二重ガラスサッシを全開状態に引き違い操作したとき、開口寸法を増大させることができる。
（５）操作装置１１を必要に応じて繰り返し着脱することができる。
（第二の実施の形態）
図７〜図１２は、第二の実施の形態を示す。この実施の形態は、前記第一の実施の形態の面ファスナー１３ａ，１３ｂを他の固定手段に変更したものであり、その他の構成は第一の実施の形態と同様である。第一の実施の形態と同一構成部分は、同一符号を付してその詳細な説明を省略する。
【００２５】
図７、図８及び図１０に示すように、室内側のガラス板１ａの上方隅部には取付板１８が取着されている。この取付板１８は、その上端部がガラス板１ａの上端部に掛止めされた状態で枠体２が嵌着されることにより、ガラス板１ａの上端から吊下支持されている。
【００２６】
前記取付板１８のガラス板１ａ上に露出される部分において、その上部には上方へ鉤型に屈曲された第一の係止片１９ａが水平方向に延設され、下縁部には下方へ鉤型に屈曲された第二の係止片１９ｂが水平方向に延設されている。
【００２７】
操作装置１１のケース１２の背面には基板２０が取着され、図９に示すように、その基板２０の上部には下方へ鉤型に屈曲された第一の掛止片２１ａが２箇所に形成されている。
【００２８】
また、基板２０の下部には、上方へ鉤型に屈曲された第二の掛止片２１ｂが２箇所に形成されている。
前記第一及び第二の掛止片２１ａ，２１ｂは、図１１及び図１２に示すように、前記第一及び第二の係止片１９ａ，１９ｂに係合する間隔で形成され、第一及び第二の係止片１９ａ，１９ｂに対し側方からスライドさせることにより、互いに係合可能となっている。
【００２９】
前記第一の掛止片２１ａの側方には、下方へ鉤型に屈曲された固定片２２が形成されている。この固定片２２はその下端が前記第一及び第二の係止片１９ａ，１９ｂの下端より下方へ突出する長さで形成されている。
【００３０】
前記取付板１８及び基板２０の中央部には、駆動側磁石１６の磁力を妨げないように、透孔２３，２４がそれぞれ設けられている。
このように構成された固定手段では、操作装置１１を取付板１８の側方から固定片２２側を先頭としてスライドさせて、第一及び第二の係止片１９ａ，１９ｂを第一及び第二の掛止片２１ａ，２１ｂに沿ってスライドさせる。
【００３１】
そして、固定片２２が第一の掛止片２１ａを通過すると、図１１及び図１２に示すように、固定片２２が第一の掛止片２１ａの側縁に係合して、操作装置１１の取外し方向への移動が阻止される。
【００３２】
操作装置１１を取付板１８から取り外す場合には、固定片２２と第一の係止片１９ａとの係合が外れるまで操作装置１１を上方へ持ち上げて、取外し方向にスライドさせればよい。
【００３３】
このように構成された固定手段では、前記第一の実施の形態で得られた（２）〜（５）と同様な作用効果を得ることができる。また、操作装置１１をスライドさせることにより、ガラス板１ａ上に容易に着脱することができるとともに、固定片２２により無用な脱落を防止することができる。
【００３４】
また、図８に示すように、取付板１８の側端を枠体２を構成する縦枠に当接させた状態でガラス板１ａから吊下支持することにより、操作装置１１の取り付け位置の位置決めが容易である。
（第三の実施の形態）
図１３〜図１６は、第三の実施の形態を示す。この実施の形態は、図１３及び図１４に示すように、前記第二の実施の形態と同様な構成により、ガラス板１ａの上端から吊下支持された取付板２５に、上方へ鉤型に屈曲されたフック２６が同一高さで２箇所形成されている。
【００３５】
操作装置１１のケース１２の上縁には、前記フック２６を挿通可能とした掛止孔２７が形成されている。
このような固定手段では、図１５に示すように、操作装置１１の掛止孔２７にフック２６を挿通すれば、図１６に示すように、操作装置１１がフック２６に吊下支持される。
【００３６】
従って、第二の実施の形態と同様な作用効果を得ることができる。
また、操作装置１１がフック２６入力吊下支持されるとき、操作装置１１の下端がガラス板１ａの表面に当接するが、ケース１２が合成樹脂で成形されているので、ガラス面にキズをつけることはない。
【００３７】
上記実施の形態は、次に示すように変更することもできる。
・前記操作装置１１は、操作コード１５以外の操作手段で駆動側磁石１６を回転させる構成としてもよい。
・第二の実施の形態において、第一の掛止片２１ａの両側に固定片２２を設けてもよい。サッシの左右いずれの上隅部に取付板１８及び操作装置１１を取着する場合にも、固定片２２により無用な脱落を防止することができる。
・第三の実施の形態において、フック２６に対し、第二の実施の形態に示すような第一の掛止片２１ａを掛止めして、操作装置１１を吊下支持する構成としてもよい。このような場合には、第二の実施の形態と同様な固定片２２で横ずれを防止するようにしてもよい。
【００３８】
【発明の効果】
以上詳述したように、この発明は簡便な構成で、ガラス面に対し繰り返し容易に着脱可能とした複層ガラス内蔵ブラインドの操作装置を提供することができる。
【図面の簡単な説明】
【図１】複層ガラス内蔵ブラインドを示す正面図である。
【図２】第一の実施の形態の複層ガラス内蔵ブラインドを示す側面図である。
【図３】第一の実施の形態の固定手段を示す正面図である。
【図４】第一の実施の形態の操作装置の取付手順を示す側面図である。
【図５】第一の実施の形態の操作装置の取付手順を示す側面図である。
【図６】第一の実施の形態の操作装置を示す正面図である。
【図７】第二の実施の形態の固定手段を示す側面図である。
【図８】第二の実施の形態の固定手段を示す正面図である。
【図９】第二の実施の形態の固定手段を示す斜視図である。
【図１０】第二の実施の形態の操作装置の取付手順を示す側面図である。
【図１１】第二の実施の形態の操作装置の取付手順を示す側面図である。
【図１２】第二の実施の形態の固定手段を示す正面図である。
【図１３】第三の実施の形態の固定手段を示す側面図である。
【図１４】第三の実施の形態の固定手段を示す正面図である。
【図１５】第三の実施の形態の操作装置の取付手順を示す側面図である。
【図１６】第三の実施の形態の操作装置の取付手順を示す側面図である。
【符号の説明】
１ａ      ガラス板
３        ブラインド（横型ブラインド）
５        駆動軸
１１      操作装置
１３ａ，１３ｂ      固定手段（面ファスナー）
【図１】
2005023604.tif 000003
【図２】
2005023604.tif 000004
【図３】
2005023604.tif 000005
【図４】
2005023604.tif 000006
【図５】
2005023604.tif 000007
【図６】
2005023604.tif 000008
【図７】
2005023604.tif 000009
【図８】
2005023604.tif 000010
【図９】
2005023604.tif 000011
【図１０】
2005023604.tif 000012
【図１１】
2005023604.tif 000013
【図１２】
2005023604.tif 000014
【図１３】
2005023604.tif 000015
【図１４】
2005023604.tif 000016
【図１５】
2005023604.tif 000017
【図１６】
2005023604.tif 000018